(57)【要約】【課題】汚染物質で汚染された人体を容易に除染することができる除染システムを提供することを課題とする。【解決手段】オゾン水散布装置６０からオゾン水を散布してこれを掛けることによって汚染物質（例えば、ＮＢＣ（ｎｕｃｌｅａｒ、ｂｉｏｌｏｇｉｃａｌ、ｃｈｅｍｉｃａｌ）物質）で汚染された人体を除染するように構成される、除染システム１であって、オゾン水散布装置６０は、散布口から散布される直前の圧力と散布口から散布された後の圧力との差が小さくなるようにオゾン水を散布可能に構成されるものである。【選択図】図１
2013034629.tif 000002
【特許請求の範囲】
【請求項１】
オゾン水散布装置からオゾン水を散布して前記オゾン水を掛けることによって汚染物質で汚染された人体を除染するように構成される、除染システムであって、
前記オゾン水散布装置は、散布口から散布される直前の圧力と前記散布口から散布された後の圧力との差が小さくなるように前記オゾン水を散布可能に構成される、
除染システム。
【請求項２】
前記オゾン水散布装置は、前記オゾン水を貯留する貯留槽と、前記散布口を有するともに前記貯留槽の下方に配置されるシャワーヘッドと、を有し、前記貯留槽に貯留されたオゾン水が、重力に従って、前記シャワーヘッドに供給されて、前記シャワーヘッドから散布されるように構成される、
請求項１に記載の除染システム。
【請求項３】
前記オゾン水散布装置は、前記散布口を有するシャワーヘッドと、前記シャワーヘッドから散布される直前の前記オゾン水の圧力と前記シャワーヘッドから散布された後の前記オゾン水の圧力との差が小さくなるように前記シャワーヘッドに供給する前記オゾン水の圧力を調節する供給圧調節装置と、を有して構成される、
請求項１に記載の除染システム。
【請求項４】
前記オゾン水散布装置は、前記シャワーヘッドからスクリーン状に前記オゾン水を散布するように構成される、
請求項２または請求項３に記載の除染システム。
【請求項５】
前記オゾン水散布装置は、門型のシャワー配管における上部および側部の複数箇所から前記オゾン水を散布するように構成される、
請求項２または請求項３に記載の除染システム。
【請求項６】
前記オゾン水散布装置は、前記複数箇所から前記オゾン水をそれぞれ均一に散布するように構成される、
請求項５に記載の除染システム。
【発明の詳細な説明】
【技術分野】
【０００１】
本発明は、種々の汚染物質で汚染された人体を除染する除染システムの技術に関する。
【背景技術】
【０００２】
従来、種々の汚染物質で汚染された人体を除染する除染システムに関する技術は公知となっている。前記種々の汚染物質には、例えば、ＮＢＣ（ｎｕｃｌｅａｒ、ｂｉｏｌｏｇｉｃａｌ、ｃｈｅｍｉｃａｌ）物質がある。Ｎ（ｎｕｃｌｅａｒ）物質による汚染には、核兵器や原発事故等による放射能汚染がある。Ｂ（ｂｉｏｌｏｇｉｃａｌ）物質による汚染には、生物兵器による天然痘ウイルスや炭素菌等の汚染がある。Ｃ（ｃｈｅｍｉｃａｌ）物質による汚染には、化学器によるサリンやマスタードガス等の汚染がある。
このような除染システムには、テント内に配置されたシャワーから吐出される水を掛けることによって汚染物質で汚染された人体を除染するものがある（特許文献１参照）。つまり、このような除染システムでは、水の水流によって汚染物質を人体から剥離するように洗い流して除染する。
【０００３】
また、オゾン水を散布するオゾン水散布装置に関する技術は種々知られている。
ここで、このようなオゾン水散布装置に関する技術では、その散布口から散布される直前の圧力から大きく減圧されて当該散布口からオゾン水が散布されると、オゾン水から気散するオゾンが多くなり、オゾン水のオゾン濃度が大きく低下することが知られている。
そして、オゾン水を加圧してノズルの先端部に移送する加圧手段を備え、前記ノズル先端部に前記ノズルの径より小さく直線状に延出する延出部が設けられ、目標到達までに急激な減圧を回避して、オゾン水のオゾン濃度の低下を抑制するオゾン水散布装置が知られている（特許文献２参照）。
【先行技術文献】
【特許文献】
【０００４】
【特許文献１】特開２００２−２５０７９３号公報
【特許文献２】特開２００７−１２５５０２号公報
【発明の概要】
【発明が解決しようとする課題】
【０００５】
しかしながら、特許文献１に示す除染システムでは、汚染物質で汚染された人体を確実に除染するためには、長時間に亙って水を人体に掛け続けることを要する。
また、特許文献２に示すオゾン散布装置は、加圧された細い水流のオゾン水を噴射するようにして散布する構成であるため、広い範囲を除染することには向かず、手や野菜等の対象が小さいものを洗浄する用途に用いられる。つまり、特許文献２に示すオゾン水散布装置では、人体のような対象が大きいものを確実に除染するためには、除染作業に長時間を要し、また、除染作業が煩わしいものとなる。
【０００６】
本発明は以上の如き状況に鑑みてなされたものであり、汚染物質で汚染された人体を容易に除染することができる除染システムを提供することを課題とする。
【課題を解決するための手段】
【０００７】
本発明の解決しようとする課題は以上の如くであり、次にこの課題を解決するための手段を説明する。
【０００８】
即ち、請求項１においては、オゾン水散布装置からオゾン水を散布して前記オゾン水を掛けることによって汚染物質で汚染された人体を除染するように構成される、除染システムであって、前記オゾン水散布装置は、散布口から散布される直前の圧力と前記散布口から散布された後の圧力との差が小さくなるように前記オゾン水を散布可能に構成されるものである。
【０００９】
請求項２においては、前記オゾン水散布装置は、前記オゾン水を貯留する貯留槽と、前記貯留槽の下方に配置されるシャワーヘッドと、を有し、前記貯留槽に貯留されたオゾン水が、重力に従って、前記シャワーヘッドに供給されて、前記シャワーヘッドから散布されるように構成されるものである。
【００１０】
請求項３においては、前記オゾン水散布装置は、前記散布口を有するシャワーヘッドと、前記シャワーヘッドから散布される直前の前記オゾン水の圧力と前記シャワーヘッドから散布された後の前記オゾン水の圧力との差が小さくなるように前記シャワーヘッドに供給する前記オゾン水の圧力を調節する供給圧調節装置と、を有して構成されるものである。
【００１１】
請求項４においては、前記オゾン水散布装置は、前記シャワーヘッドからスクリーン状に前記オゾン水を散布するように構成されるものである。
【００１２】
請求項５においては、前記オゾン水散布装置は、門型のシャワー配管における上部および側部の複数箇所から前記オゾン水を散布するように構成されるものである。
【００１３】
請求項６においては、前記オゾン水散布装置は、前記複数箇所から前記オゾン水をそれぞれ均一に散布するように構成されるものである。
【発明の効果】
【００１４】
本発明の効果として、以下に示すような効果を奏する。
【００１５】
即ち、本発明によれば、汚染物質（Ｂ物質またＣ物質で汚染された人体）で汚染された人体をより容易に除染することができる。
【図面の簡単な説明】
【００１６】
【図１】本発明の実施形態に係る除染システムの全体的な構成を示したブロック図。
【図２】本発明の実施形態に係る除染システムの除染部を示した斜視図。
【図３】本発明の実施形態に係る除染システムの除染部のオゾン水生成装置を示した正面図。
【図４】本発明の実施形態に係る除染システムの全体的な構成を示したブロック図。
【図５】本発明の実施形態に係る除染システムの除染部におけるオゾン散布装置のシャワーヘッドを示した底面図。
【図６】本発明の実施形態に係る除染システムの除染部を示した斜視図。
【図７】同じく側面図。
【図８】同じく斜視図。
【図９】同じく斜視図。
【図１０】本発明の実施形態に係る除染システムの再生部を示したブロック図。
【図１１】除染される人を示した斜視図。
【図１２】同じく斜視図。
【発明を実施するための形態】
【００１７】
次に、発明の実施形態に係る除染システム１を図１から図１２を用いて説明する。
除染システム１は、種々の汚染物質で汚染された人体を除染するものである。前記種々の汚染物質には、ＮＢＣ（ｎｕｃｌｅａｒ、ｂｉｏｌｏｇｉｃａｌ、ｃｈｅｍｉｃａｌ）物質がある。
除染システム１は、図１に示すように、タンク２と、オゾン水生成装置３と、除染部４と、を備える。
【００１８】
除染システム１のタンク２は、原料水（水）が溜められるものである。タンク２に溜められた原料水は、オゾン水生成装置３に供給される。
除染システム１のオゾン水生成装置３は、配管を介してタンク２に接続される。オゾン水生成装置３は、タンク２から配管を介して供給される原料水からオゾン水を生成するものである。ここで、オゾン水とは、水にオゾン（Ｏ３）が溶解されてなるものである。
オゾン水生成装置３によって生成されたオゾン水は、温度調節装置によって、当該オゾン水を掛けられた人（除染される人）が冷た過ぎるまたは熱すぎる等と感じないような所定の温度に温度調節（例えば、２６度〜４０度に昇温また降温）されて、除染部４に供給される。
【００１９】
除染システム１の除染部４では、汚染物質で汚染された人体の除染がおこなわれる。除染部４は、図１または図２に示すように、テント４１と、オゾン水散布装置６０と、水受４３と、すのこ４４と、を有する。
【００２０】
除染システム１における除染部４のテント４１は、当該テント４１内で立った状態で、汚染物質で汚染された人体の除染をおこなうことができるように構成される。
除染部４のテント４１は、短時間で設営可能に構成される。除染部４のテント４１は、例えば、エアーを吹込むことにより数分間内にドーム状の立体構造とすることができ、また、エアーを抜くことにより折畳むことができるようなエアーテントで構成される。
【００２１】
除染システム１における除染部４のオゾン水散布装置６０は、そのオゾン水の散布口からオゾン水を散布して汚染物質に除染された人体にこれを掛けるものである。除染部４のオゾン水散布装置６０は、配管を介してオゾン水生成装置３に接続されて、温度調節装置によって温度が調節されたオゾン水を散布可能に構成される。
除染部４のオゾン水散布装置６０は、そのテント４１内に配置される。除染部４のオゾン水散布装置６０は、除染対象である汚染物質で汚染された人体に向かって上方からオゾン水を散布するように構成される。
除染部４のオゾン水散布装置６０は、そのオゾン水の散布口から散布される直前の圧力とオゾン水の散布口から散布された後の圧力との差が小さくなるように、オゾン水を散布可能に構成される。
【００２２】
除染システム１における除染部４の水受４３は、テント４１内に配置される。除染部４の水受４３は、オゾン水散布装置６０から散布されたオゾン水を受けて、当該オゾン水（除染に用いたオゾン水）を水受４３の排水孔４３ａから排水するように構成される。
除染システム１における除染部４のすのこ４４は、水受４３の上に配置される。
除染システム１では、汚染物質で汚染された人は、除染部４のテント４１内においてすのこ４４の上に立った状態で、オゾン水散布装から散布されるオゾン水が掛けられる。
以上のようにして、除染システム１は、オゾン水を散布してこれを掛けることによって汚染物質で汚染された人体を除染するように構成される。
【００２３】
そして、除染システム１では、人体を汚染する汚染物質がＢ（ｂｉｏｌｏｇｉｃａｌ）物質の場合には、Ｂ物質は、前記掛けられたオゾン水によって殺菌されることとなる。人体を汚染する汚染物質がＣ（ｃｈｅｍｉｃａｌ）物質の場合には、Ｃ物質は、前記掛けられたオゾン水によって分解されることとなる。
このように、Ｂ物質が殺菌され、また、Ｃ物質が分解されるので、除染システム１によれば、水によって除染するものに比べて、より短時間で且つより確実に、Ｂ物質またはＣ物質で汚染された人体を除染することができる。
【００２４】
また、除染システム１では、オゾン水散布装置６０がオゾン水の散布口から散布される直前の圧力とオゾン水の散布口から散布された後の圧力との差が小さくなるようにオゾン水を散布可能に構成されるため、オゾン水の散布口から散布されたオゾン水が汚染物質に汚染された人体に到達するまでに、オゾン水のオゾン濃度が減少することを抑制されることとなる。
このように、オゾン水の散布口から散布されたオゾン水が汚染物質に汚染された人体に到達するまでに、オゾン水のオゾン濃度が減少することが抑制されるため、除染システム１によれば、より短時間で且つより確実に、Ｂ物質またはＣ物質で汚染された人体を除染することができる。
また、除染システム１では、オゾン水散布装置６０のオゾン水の散布口からオゾン水が散布されるので、人体の広い範囲に一度にオゾン水を掛けることができる。
したがって、除染システム１によれば、汚染物質で汚染された人体をより容易に除染することができる。
【００２５】
また、除染システム１では、人体を汚染する汚染物質がＮ（ｎｕｃｌｅａｒ）物質の場合には、Ｎ物質は、オゾン水におけるコロイドを凝集する作用によって人体から剥離した後に凝集されることとなる。このため、除染システム１では、除染に用いたオゾン水の排水をろ過する際に、目の細かいフィルタを用いることなく、当該凝集されたＮ物質を容易に捕集することができ、当該排水からＮ物質を取除く処理をより容易におこなうことができる。
除染システム１では、人体を汚染する汚染物質が抵抗性の弱いＢ物質の場合には、Ｂ物質は消毒されて無害化されるので、前記排水に含まれるＢ物質の消毒処理が不要となる。人体を汚染する汚染物質が抵抗性の強いＢ物質の場合には、オゾン水が掛けられてから排水されていく過程においてＢ物質の消毒が進行するので、前記排水に含まれるＢ物質のその後の消毒処理を容易におこなうことができる。
除染システム１では、人体を汚染する汚染物質が易分解性のＣ物質の場合は、Ｃ物質は分解されて無害化されるので、前記排水に含まれるＣ物質の分解処理が不要となる。人体を汚染する汚染物質が難分解性のＣ物質の場合には、オゾン水が掛けられてから排水される過程においてＣ物質の分解が進行するので、前記排水に含まれるＣ物質のその後の分解処理を容易におこなうことができる。
したがって、除染システム１によれば、Ｎ物質が凝集され、Ｂ物質が消毒され、また、Ｃ物質が分解されるので、水によって除染するものに比べて、前記排水の処理を容易におこなうことができる。
なお、オゾンは短時間で酸素に戻るため、除染システム１では、前記排水に対するオゾンの中和処理は不要である。
【００２６】
除染システム１における除染部４のオゾン水散布装置６０は、図３に示すように、貯留槽６１とシャワーヘッド６２とを有して構成される。
除染部４におけるオゾン水散布装置６０の貯留槽６１は、配管を介してオゾン水生成装置３に接続されて、オゾン水生成装置３から供給されるオゾン水を貯留するものである。
除染部４におけるオゾン水散布装置６０のシャワーヘッド６２は、配管６３を介して貯留槽６１の下方に配置される。除染部４におけるオゾン水散布装置６０のシャワーヘッド６２は、オゾン水の散布口を有し、貯留槽６１に貯留されたオゾン水を汚染物質で汚染された人体に向かって散布するものである。オゾン水散布装置６０のシャワーヘッド６２（におけるオゾン水の散布口）は、オゾン水を吐出する複数個の開口が放射状に配置されて構成され、オゾン水散布装置６０におけるオゾン水の散布口として構成される。
除染部４におけるオゾン水散布装置６０は、貯留槽６１に貯留されたオゾン水は、重力に従って、その配管６３を介してシャワーヘッド６２に供給されて、当該シャワーヘッド６２から散布されるように構成される。
【００２７】
除染システム１における除染部４のオゾン水散布装置６０は、シャワーヘッド６２におけるオゾン水の散布口（オゾン水散布装置６０のオゾン水の散布口）から散布される直前の圧力と、シャワーヘッド６２におけるオゾン水の散布口から散布された後の圧力との差が小さくなるように、オゾン水を散布可能に構成される。
また、除染部４のオゾン水散布装置６０は、シャワーヘッド６２におけるオゾン水の散布口（オゾン水散布装置６０のオゾン水の散布口）から散布される直前の圧力が高くならないようにして、オゾン水を散布するように構成される。
例えば、除染部４のオゾン水散布装置６０は、貯留槽６１に貯留されたオゾン水の水面とシャワーヘッド６２におけるオゾン水の散布口との距離Ｘが、０．５ｍとなるように構成される（図３参照）。このとき、オゾン水散布装置６０の貯留槽６１に貯留されたオゾン水の水面とシャワーヘッド６２におけるオゾン水の散布口とにおける圧力差は、０．００５ＭＰａとなる。
【００２８】
以上のようにして、除染システム１では、除染部４のオゾン水散布装置６０は、シャワーヘッド６２におけるオゾン水の散布口から散布される直前の圧力と、シャワーヘッド６２におけるオゾン水の散布口から散布された後の圧力との差が小さくなるように、オゾン水を散布可能に構成される。また、除染システム１では、除染部４のオゾン水散布装置６０は、シャワーヘッド６２におけるオゾン水の散布口（オゾン水散布装置６０のオゾン水の散布口）から散布される直前の圧力が高くならないようにして、オゾン水を散布するように構成される。
【００２９】
また、除染システム１における除染部４のオゾン水散布装置６０は、図４に示すように、供給圧調節装置６９とシャワーヘッド６２とを有する構成としてもよい。
除染部４におけるオゾン水散布装置６０の供給圧調節装置６９は、配管を介してオゾン水生成装置３に接続される。除染部４におけるオゾン水散布装置６０の供給圧調節装置６９は、シャワーヘッド６２から散布される直前のオゾン水の圧力とシャワーヘッド６２から散布された後のオゾン水の圧力との差が小さくなるように、シャワーヘッド６２に供給するオゾン水の圧力を調節する（例えば、オゾン水生成装置３から供給されるオゾン水の圧力を低くする）ものである。
除染部４におけるオゾン水散布装置６０の供給圧調節装置６９は、例えば、オゾン水生成装置３から供給されるオゾン水の圧力を調節可能な（オゾン水の圧力を低くする）減圧弁で構成される。また、除染部４におけるオゾン水散布装置６０の供給圧調節装置６９は、オゾン水生成装置３から供給されるオゾン水の圧力を低くするオリフィスを配管内に形成して構成される。除染部４におけるオゾン水散布装置６０の供給圧調節装置６９がオリフィスを形成して構成される場合には、その大きさを変更することによりオゾン水の圧力の低下度合を調節することもできる。
除染部４におけるオゾン水散布装置６０のシャワーヘッド６２は、供給圧調節装置６９から圧力が調節されたオゾン水が配管を介して供給されるように構成される。
【００３０】
このようにして、除染システム１における除染部４のオゾン水散布装置６０は、シャワーヘッド６２におけるオゾン水の散布口（オゾン水散布装置６０のオゾン水の散布口）から散布される直前の圧力と、シャワーヘッド６２におけるオゾン水の散布口から散布された後の圧力との差が小さくなるように、オゾン水を散布可能に構成される。
また、除染部４のオゾン水散布装置６０は、シャワーヘッド６２におけるオゾン水の散布口（オゾン水散布装置６０のオゾン水の散布口）から散布される直前の圧力が高くならないようにして、オゾン水を散布するように構成される。
【００３１】
なお、除染システム１の除染部４のオゾン水散布装置６０は、シャワーヘッド６２における前記オゾン水を吐出する各開口は、オゾン水の散布口から一度に散布されるオゾン水の量が同じであれば、前記各開口の開口面積を小さくするとともに前記各開口数を増やして、オゾン水の散布範囲が広くなるよに構成してもよい（図５参照）。
【００３２】
また、除染システム１における除染部４のオゾン水散布装置６０は、図６に示すように、シャワーヘッド６４がそのオゾン水の散布口のオゾン水を吐出する複数個の開口が直線状に配置されて構成されて、シャワーヘッド６４からスクリーン状にオゾン水を散布するように構成してもよい。
このとき、除染部４のシャワーヘッド６４は、その長手方向の幅（スクリーン状に散布されるオゾン水の長手方向の幅）が、汚染物質に汚染された人体の横方向の幅よりも、大きくなるように構成される。
このように構成することにより、汚染物質に汚染された人体のより広い範囲にオゾン水を一度に掛けることができるため、より短時間で且つより確実に、Ｂ物質またはＣ物質で汚染された人体を除染することができる。
【００３３】
さらに、除染システム１は、図７に示すように、前記除染部４におけるスクリーン状にオゾン水を散布するシャワーヘッド６４を有するオゾン水散布装置６０を複数台並べて配置して構成してもよい。
このように構成することにより、汚染物質に汚染された人体のさらにより広い範囲にオゾン水を一度に掛けることができるため、より短時間で且つより確実に、Ｂ物質またはＣ物質で汚染された人体を除染することができる。
【００３４】
除染システム１における除染部４のオゾン水散布装置６０は、図８に示すように、門型のシャワー配管６５をテント４１内に配置し、当該門型のシャワー配管６５の上部および側部に、それぞれ複数のシャワーヘッド６６・６６・・・を配置する構成としてもよい。
除染部４のオゾン水散布装置６０は、門型のシャワー配管６５は、配管を介してオゾン水生成装置３に接続されて、オゾン水生成装置３から供給されるオゾン水を各シャワーヘッド６６・６６・・・から（門型のシャワー配管における上部および側部の複数箇所から）散布するように構成される。
このように構成することにより、上方および側方の複数箇所からオゾン水を散布して汚染物質に汚染された人体のより広い範囲にオゾン水を一度に掛けることができるため、より短時間で且つより確実に、Ｂ物質またはＣ物質で汚染された人体を除染することができる。
【００３５】
このとき、除染システム１における除染部４のオゾン水散布装置６０は、各シャワーヘッド６６・６６・・・におけるオゾン水の散布口から散布される直前の圧力と、各シャワーヘッド６６・６６・・・におけるオゾン水の散布口から散布された後の圧力と、の差がそれぞれ小さくなるように（例えば、当該圧力差が０．００５ＭＰａとなるように）、オゾン水を散布するように構成される。
また、除染部４のオゾン水散布装置６０は、各シャワーヘッド６６・６６・・・におけるオゾン水の散布口から散布される直前の圧力が高くならないようにして、オゾン水を散布するように構成される。
【００３６】
このため、除染システム１では、オゾン水散布装置６０のオゾン水の散布口から散布されたオゾン水が汚染物質に汚染された人体に到達するまでに、オゾン水のオゾン濃度が減少することを抑制することができる。
したがって、除染システム１によれば、より短時間で且つより確実に、Ｂ物質またはＣ物質で汚染された人体を除染することができる。
【００３７】
さらに、除染部４のオゾン水散布装置６０は、各シャワーヘッド６６・６６・・・（門型のシャワー配管６５における上部および側部の複数箇所）からオゾン水をそれぞれ均一に散布するように構成される。例えば、除染部４のオゾン水散布装置６０は、シャワーヘッド６６・６６・・・が配置される間隔が下流側にいくにしがたって広くなるよう構成して、各シャワーヘッド６６・６６・・・からオゾン水をそれぞれ均一に散布するように構成する。また例えば、除染部４のオゾン水散布装置６０は、下流側に配置されるものほど、シャワーヘッド６６・６６・・・における前記オゾン水を吐出する複数個の開口の開口数を増やす、若しくは、当該開口の開口の面積を大きくして構成し、各シャワーヘッド６６・６６・・・からオゾン水をそれぞれ均一に散布するように構成する。
このように構成することにより、汚染物質で汚染された人体のうち上方と下方とによってむらがないようにこれに均一にオゾン水を散布することとができ、より確実に、Ｂ物質またはＣ物質で汚染された人体を除染することができる。
【００３８】
除染システム１における除染部４のオゾン水散布装置６０は、図９に示すように、門型のシャワー配管６７をテント４１内に配置し、当該門型のシャワー配管６７の上部および側部に形成される複数個の貫通孔６８・６８・・・をオゾン水の吐出口とし、当該貫通孔６８・６８・・・（オゾン水の吐出口）からオゾン水を吐出してこれを散布する構成としてもよい。
【００３９】
除染システム１の除染部４は、まず、オゾン散布装置からエアーまたは水を散布して汚染物質で汚染された人にこれを掛けて予備除染をおこない、次いで、オゾン散布装置からオゾン水による除染をおこなうように構成してもよい。
除染部４のテント４１は、柱で天幕を支持する構成であってもよい。
除染システム１は、オゾン水生成装置３によって生成されたオゾン水の温度を温度調節装置によって温度調節するのではなく、原料水の温度を温度調節装置によって温度調節する構成としてよもよい。
除染システム１は、車両に組込まれて移動可能に構成してもよい。
【００４０】
除染システム１は、除染部４のテント４１内の気体をテント４１外に排気可能に構成される。除染システム１は、除染部４のテント４１内において下方向の気流が発生するように構成される。
除染部４のテント４１は、図１または図２に示すように、その天井部に給気孔４１ａ・４１ａが形成されるとともに、その側面の下部に排気孔４１ｂ・４１ｂが形成されて構成される。除染部４のテント４１の排気孔４１ｂ・４１ｂには、それぞれ排気ファン４７・４７が設けられる。
そして、除染システム１では、排気ファン４７・４７を動作させることによって、テント４１の給気孔４１ａ・４１ａから空気を給気するとともに、前記テント４１内の気体を排気孔４１ｂ・４１ｂからテント４１外に排気する。
このようにして、除染システム１では、排気ファン４７・４７を動作させることによって、テント４１内において下方向の気流を発生させて、前記テント４１内の気体をテント４１外に排気する。
このため、除染システム１では、通常はオゾン水からはオゾンガスが気散しないが、仮に除染部４のテント４１内においてオゾン水からオゾンガスが気散した場合においても、テント４１内の人が当該オゾンガスを吸引する等して影響を受けないうように、テント４１内で下方向の気流を発生させるともに、テント４１内のオゾンガスをテント４１外に排気することができる。
【００４１】
除染システム１における除染部４のテント４１の排気孔４１ｂ・４１ｂ（排気ファン４７・４７）には、それぞれオゾン分解触媒４８・４８が設けられる。除染部４のオゾン分解触媒４８は、前記除染部４のテント４１の排気孔４１ｂから排気されるオゾンガスを酸素に戻すことができるように構成される。
このように構成されることにより、除染システム１では、前記テント４１内のオゾンガスをテント４１外に排気する際に、当該オゾンガスが酸素に戻されることとなる。
また、除染システム１における除染部４のテント４１の給気口と排気口とに、それぞれヘパフィルターを配置してもよい。
【００４２】
除染システム１は、図１に示すように、再生部５を備える。
除染システム１の再生部５では、前記排水（除染に用いたオゾン水の排水）が原料水に再生される。再生部５は、図１０に示すように、粗フィルタ５１と、活性炭吸着フィルタ５２と、逆浸透膜浄化装置５３と、汚れセンサ５４と、を有する。
除染システム１における再生部５の粗フィルタ５１は、前記排水から粒径の大きい不純物（ゴミ、および、前記凝集されたＮ物質等）を取除くものである。
【００４３】
再生部５の活性炭吸着フィルタ５２は、粗フィルタ５１の下流側に配置される。再生部５の活性炭吸着フィルタ５２は、前記粗フィルタ５１で取除けなかった粒径の小さい不純物を前記排水から取除くものである。
再生部５の逆浸透膜浄化装置５３は、活性炭吸着フィルタ５２の下流側に配置される。再生部５の逆浸透膜浄化装置５３は、前記活性炭吸着フィルタ５２で不純物が取除かれた排水を、原料水として再利用できるような水質に浄化する。
再生部５の汚れセンサ５４は、前記逆浸透膜浄化装置５３によって浄化された排水の浄化度合（汚れ度合）を検知するものである。
【００４４】
このようにして、除染システム１の再生部５では、再生部５の粗フィルタ５１および活性炭吸着フィルタ５２によって前記排水から不純物が取除かれ、再生部５の逆浸透膜浄化装置５３によって前記不純物が取除かれた排水が浄化され、再生部５の汚れセンサ５４によって前記浄化された排水の浄化度合（汚れ度合）が検知される。
そして、再生部５の汚れセンサ５４によって検知された排水の浄化度合が所定の基準値を満たしている場合には、当該排水は、タンク２に供給されて原料水として再利用される。
【００４５】
以上のようにして、除染システム１では、前記排水が、再生部５において原料水に再生されて、タンク２に供給されて再利用される。
このため、除染システム１では、多量の原料水を確保することを要さずに、汚染物質で汚染された人体の除染を多量におこなうことができる。
したがって、除染システム１によれば、原料水を確保（補給）することが困難な状態でも、汚染物質で汚染された多量の人体の除染をおこなうことができる。
【００４６】
また、除染システム１では、Ｎ物質が凝集され、Ｂ物質が消毒され、また、Ｃ物質が分解されるので、水によって除染するものに比べて、再生部５における前記排水の原料水への再生を容易におこなうことができる。
【００４７】
なお、除染システム１における再生部５の汚れセンサ５４によって検知された排水の浄化度合が所定の基準値を満たしていない場合には、当該排水は、廃水として廃水槽６に供給される。
そして、前記廃水槽６に供給された廃水は、その下流側の廃水処理装置７で廃水処理（凝集されたＮ物質を取除く処理、Ｂ物質の消毒処理、または、Ｃ物質の分解処理）がおこなわれて、廃棄されることとなる。
【００４８】
汚染物質で汚染された人に、ゴーグル９と口マスク１０とをそれぞれ装着させた状態で、除染システム１の除染部４で汚染物質の除染をおこなうようにしてもよい（図１１参照）。
また、汚染物質で汚染された人に、顔面を覆うようなガスマスク１１を装着させた状態で、除染システム１の除染部４で汚染物質の除染をおこなうようにしてもよい（図１２参照）。
このようにすることにより、通常はオゾン水からはオゾンガスが気散しないが、仮に除染部４のテント４１内においてオゾン水からオゾンガスが気散した場合においても、汚染物質で汚染された人がオゾンガスを吸引する等によって影響を受けることなく、汚染物質の除染をおこなうことができる。
【符号の説明】
【００４９】
１  除染システム
２  タンク
３  オゾン水生成装置
４  除染部
５  再生部
４１  テント
６０  オゾン水散布装置
【図１】
2013034629.tif 000003
【図２】
2013034629.tif 000004
【図３】
2013034629.tif 000005
【図４】
2013034629.tif 000006
【図５】
2013034629.tif 000007
【図６】
2013034629.tif 000008
【図７】
2013034629.tif 000009
【図８】
2013034629.tif 000010
【図９】
2013034629.tif 000011
【図１０】
2013034629.tif 000012
【図１１】
2013034629.tif 000013
【図１２】
2013034629.tif 000014